(57)【要約】【課題】  マンホールの内部や共同溝等の狭い場所、又は足場の高い場所で補修等の作業をする場合に、持ち運びが容易で、かつ、補修等の作業を行いやすく、しかも、少量のモルタル又はコンクリートが必要な場合においても、使い切ることができる容器入りセメント混合物を提供する。【解決手段】  この容器入りセメント混合物１０は、一端に開口部２１を有し、防水性を具備する容器２０に、１００〜１０００ｇの重量のセメント混合物Ａと、セメント混合物Ａに混合する水を計量するための計量容器４０とが収納され、かつ、開口部２１を閉じる蓋５０を備えている。【選択図】  図１
2005231058.tif 000002
【特許請求の範囲】
【請求項１】
一端に開口部を有し、防水性を具備する容器と、該容器に収納された１００〜１０００ｇの重量のセメント混合物と、前記セメント混合物に混合する水を計量するための計量容器と、前記開口部を閉じる蓋とを備えていることを特徴とする容器入りセメント混合物。
【請求項２】
前記容器は、防水性を有する防水紙で形成され、外表面に凹凸加工が施されている請求項１記載の容器入りセメント混合物。
【請求項３】
前記セメント混合物を練り混ぜるための棒状のヘラを更に備えている請求項１又は２記載の容器入りセメント混合物。
【請求項４】
前記セメント混合物が、内袋に封入された状態で前記容器に収納されている請求項１〜３のいずれか１つに記載の容器入りセメント混合物。
【請求項５】
前記内袋が前記計量容器を兼ねている請求項４に記載の容器入りセメント混合物。
【請求項６】
前記蓋が前記計量容器を兼ねている請求項１〜４のいずれか１つに記載の容器入りセメント混合物。
【発明の詳細な説明】
【技術分野】
【０００１】
本発明は、土木・建築の施工現場におけるコンクリート構造物や、一般家庭におけるコンクリート製品等を、補修等する場合に用いられる、容器入りセメント混合物に関する。
【背景技術】
【０００２】
モルタル又はコンクリートは、セメント、及び、砂利、砕石、砂等の骨材、添加剤等を所定の割合で混ぜ、それら混合物を水で練り混ぜることにより製造される。具体的には、１０〜５０ｋｇのセメント収納袋から、必要な量だけセメントを取り出して、ミキサーに投入し、更に水、骨材、添加剤等を所定量投入して、前記ミキサーによって練り混ぜることにより、モルタル又はコンクリートが製造される。
【０００３】
上記製造方法の場合、数ｋｇほどの少量のモルタル又はコンクリートが必要なときでも、ミキサーを用いなければならず、無駄が多く製造コストが高くなる。また、練り混ぜた場所、すなわちミキサーの設置箇所から土木・建築の施工現場まで、モルタル又はコンクリートを運搬する必要がある。しかしながら、硬化が早いタイプのセメントを用いて、モルタル又はコンクリートを製造した場合、運搬の間にモルタル又はコンクリートが変質してしまい、施工現場での作業時に使用できないことがあった。
【０００４】
下記特許文献１には、セメントペースト、モルタルまたはコンクリートの固体材料と液体材料とを、可撓性を有する密閉状態の容器の内部において、容器の外部から加える力によって混練することを特徴とするセメントペースト、モルタルまたはコンクリートの製造方法が開示されている。
【０００５】
また、下記特許文献２には、袋詰めしたセメント・プレミックス品を収納する蓋付缶であって、缶本体の内面に適正水量を示すマーキングを付し、蓋にはフロー値を示すマーキングを施し、フロー試験用カップを付属したことを特徴とするセメント・プレミックス品の容器が開示されている。
【０００６】
更に、下記特許文献３には、開封可能な容器内に、所定の混合比率となるように設定されたセメント及び砂等の細骨材と、所定量の水が収納された開封可能な水容器とを収納して成るモルタル調整セットが開示されている。
【０００７】
更にまた、下記特許文献４には、水和反応により固化するセメント、或いは該セメントと砂と砂利又は補強用ウィスカー又はファイバーを混合したプレミックスのモルタルを収納した罐部分、水の計量カップの役目をする目盛り付き円筒状の蓋部分、その蓋部分に付着せしめられているコテ形状部分及びシャベル形状になる部分を有し、罐部分内には、混合棒などを収納されていることを特徴とする罐詰式セメントモルタル用品が開示されている。
【特許文献１】特開平７−５２１４０号公報
【特許文献２】実開平５−９４１３１号公報
【特許文献３】特開平３−９９８０６号公報
【特許文献４】実開平２−２２３４３号公報
【発明の開示】
【発明が解決しようとする課題】
【０００８】
上記特許文献１〜４の発明は、いずれも、比較的少量のセメントを予め容器に収納しておき、この容器内でセメント、水、骨材、添加剤等を練り混ぜるようにしているので、ミキサーを使用する必要がなく、無駄が少なく製造コストを抑えることができる。
【０００９】
しかしながら、上記特許文献の発明は、次のような問題が生じる。すなわち、特許文献１の発明は、その実施例から明らかなように、セメント、骨材、水等、合計して約１．４ｋｇの材料が容器内に収納されている。また、特許文献２の発明は、５ｋｇのセメントが容器内に収納されている。そして、特許文献３の発明は、混練用の水が容器内に収納されているので、その重量は１ｋｇを超えていると推測される。このように特許文献１〜３の発明は、重量が１ｋｇを超えることになり、それに伴い容器自体も大きくなるので、長時間、片手で把持することは難しい。
【００１０】
また、特許文献４の発明は、セメント、骨材等の重量は明らかではない。しかしながら容器内には、コテ形状部分、シャベル形状部分等が収納されており、容器自体が大きく形成されているので、容器を片手で把持することは難しい。また、前記シャベル形状部分で、モルタルを取り出して作業することが開示されており、容器を片手で把持して使用することを前提としていない。
【００１１】
このように上記特許文献１〜４の発明では、容器を片手で把持することは難しく、作業時には、容器を適当なスペース（例えば、地面や台車上）に置いて、補修等の作業をすることになる。このことは、例えば、マンホールの内部や共同溝等の狭い場所、又は足場の高い場所において、補修等の作業をする場合に大きな問題となる。すなわち、上記のような場所では容器を置くスペースを確保できず、作業スペースも小さいので、容器を片手で把持できないとなると作業性が著しく低下してしまう。また、上記のような狭い場所では、形状が大きく重量もある容器は、持ち運びが困難となる。
【００１２】
また、土木・建築の施工現場におけるコンクリート建造物等の補修時や、一般家庭におけるコンクリート塀、駐車場、庭回り等の補修時には、少量のモルタル又はコンクリートがあればよい。しかしながら、上記特許文献１〜４の発明では、セメント及び骨材等が比較的多く容器に収納されており、補修等に適切な少量のモルタル又はコンクリートを製造することができないので、全てを使い切れずに無駄になってしまうことが多く、経済的ではなかった。
【００１３】
したがって、本発明の目的は、マンホールの内部や共同溝等の狭い場所、又は足場の高い場所で補修等の作業をする場合に、持ち運びが容易で、かつ、補修等の作業を行いやすく、しかも、土木・建築の施工現場や一般家庭において、少量のモルタル又はコンクリートが必要な場合に、無駄になる量を少なくすることができる容器入りセメント混合物を提供することにある。
【課題を解決するための手段】
【００１４】
上記課題を解決するため、本発明の容器入りセメント混合物は、一端に開口部を有し、防水性を具備する容器と、該容器に収納された１００〜１０００ｇの重量のセメント混合物と、前記セメント混合物に混合する水を計量するための計量容器と、前記開口部を閉じる蓋とを備えていることを特徴とする。
【００１５】
上記発明によれば、セメント混合物を収納した容器に、計量容器で計量した水を入れて、前記セメント混合物と前記水とを練り混ぜるだけで、目的とするモルタル又はコンクリートを得ることができ、しかも、前記セメント混合物の収納量を１００〜１０００ｇとしたので軽量で、かつ、容器も小さく形成することができるので、容器を片手で把持することが容易となり、持ち運びも簡便となる。
【００１６】
また、土木・建築の施工現場や一般家庭にて、コンクリート建造物やコンクリート製品等を補修等する際には、一方の手で容器を把持して、他方の手で容器の中のセメント混合物と水とを練り混ぜた後、そのまま補修等の作業を行うことができるので、取扱いが極めて簡単で作業性が向上する。特に、マンホールの内部や共同溝等の狭い場所、又は足場の高い場所で補修等の作業時に、容器を置くスペースを確保できない場合、或いは作業スペースが小さい場合に効果的となる。
【００１７】
更に、セメント混合物を、１００〜１０００ｇの収納量に小分けしたので、目的とする作業に合わせて、必要な分だけの容器入りセメント混合物を適宜用いて、モルタル又はコンクリートを製造することができるので、モルタル又はコンクリートの無駄がなく経済的である。また、必要な分だけの容器入りセメント混合物と、それに練り混ぜる分の水だけを施工現場等に持ち運べばよく、人手で容易に持ち運ぶことができ、運搬費用を低減できる。
【００１８】
また、本発明の容器入りセメント混合物においては、前記容器は、防水性を有する防水紙で形成され、外表面に凹凸加工が施されていることが好ましい。
【００１９】
これによれば、前記容器の外表面の凹凸が滑り止めとなるので、容器を片手で把持したときに、手から抜け落ちたり、滑ったりすることを防止でき、凹凸の内部に形成される空気層が断熱材として機能するので、セメント混合物と水とを練り混ぜる際の水和反応によって生じる熱が作業者の手に伝わるのを防止できる効果が得られる。
【００２０】
更に、本発明の容器入りセメント混合物においては、前記セメント混合物を練り混ぜるための棒状のヘラを更に備えていることが好ましい。
【００２１】
これによれば、計量容器で所定量の水を入れて、前記セメント混合物と前記水とを練り混ぜる際に、迅速かつ効率的に練り混ぜることができる。
【００２２】
また、本発明の容器入りセメント混合物においては、前記セメント混合物が、内袋に封入された状態で前記容器に収納されていることが好ましい。
【００２３】
これによれば、セメント混合物が、内袋に封入されて容器に収納されているので、粉体状のセメント混合物が湿気等によって変質してしまうことを防止できる。また、容器に収納するときや、使用するために蓋を開けるときにセメント混合物が飛散してしまうことを防止することができる。
【００２４】
更に、本発明の容器入りセメント混合物においては、前記内袋が前記計量容器を兼ねていてもよい。
【００２５】
これによれば、内袋に収納されたセメント混合物を容器に投入した後、セメント混合物に混合する水を計量する計量容器とすることができるので、別途計量容器を設ける必要がなく、製造コストを低減できる。
【００２６】
また、本発明の容器入りセメント混合物においては、前記蓋が前記計量容器を兼ねていてもよい。
【００２７】
これによれば、容器の開口部を閉じる蓋を取り外した後、セメント混合物に混合する水を計量する計量容器とすることができるので、別途計量容器を設ける必要がなく、製造コストを低減できる。
【発明の効果】
【００２８】
本発明の容器入りセメント混合物によれば、セメント混合物を収納した容器に、計量容器で計量した水を入れ、前記セメント混合物と前記水とを練り混ぜるだけで、目的とするモルタル又はコンクリートを得ることができ、しかも、前記セメント混合物の収納量を１００〜１０００ｇとしたので軽量で、かつ、容器も小さく形成することができ、容器を片手で把持することが容易となり、持ち運びも簡便となる。
【００２９】
また、土木・建築の施工現場等にて、コンクリート建造物等の補修等する際には、一方の手で容器を把持して、他方の手で容器の中のセメント混合物と水とを練り混ぜた後、そのまま補修等の作業を行うことができるので、取扱いが極めて簡単で作業性が向上する。特に、マンホールの内部等の狭い場所での、補修等の作業時に効果的となる。
【００３０】
更に、セメント混合物を、１００〜１０００ｇの収納量に小分けしたので、必要な分だけのモルタル又はコンクリートを製造することができ、無駄がなく経済的で、また、必要な分だけの容器入りセメント混合物と、練り混ぜる分の水だけを施工現場等に持ち運べばよく、人手で容易に持ち運ぶことができ、運搬費用を低減できる。
【発明を実施するための最良の形態】
【００３１】
以下、図面を参照して、本発明の容器入りセメント混合物の一実施形態を説明する。    図１に示すように、この容器入りセメント混合物１０は、一端に開口部２１を有し、防水性を具備する容器２０に、１００〜１０００ｇの重量のセメント混合物Ａと、容器２０より小さく形成され、セメント混合物Ａに混合する水を計量するための計量容器４０とが収納され、かつ、開口部２１を閉じる蓋５０を備えている。
【００３２】
セメント混合物Ａは、セメントを主成分とし添加剤が混合されてなる。セメントとしては、例えば、普通ポルトランドセメント、早強ポルトランドセメント、超早強ポルトランドセメント等のポルトランドセメント、高炉セメント、シリカセメント、フライアッシュセメント等の混合セメント、アルミナセメント、超速硬セメント等の特殊セメント、等が用いられる。また、添加剤としては、例えば、急硬剤（急結剤）、凝結遅延剤、減水剤、分散剤等が用いられる。これらを使用目的に合わせて所定の割合で配合し、セメント混合物Aが得られる。更に、これらに骨材として、砂（細骨材）を混合してモルタル製造用のプレミックス材料としてもよく、砂（細骨材）と砂利（粗骨材）を混合してコンクリート製造用のプレミックス材料としてもよい。
【００３３】
容器２０は、この実施形態の場合、細長のコップ形状をなしており、円板状の底板２３と、その周縁から上方に向かって次第に拡径する周壁２２とから構成され、周壁２２の終端に、開口部２１を有している。また、開口部２１の周縁に沿って、環状突部２１ａが外径方向に突出して形成されており、後述する蓋５０と嵌合されるようになっている。
【００３４】
この容器２０は、セメント混合物Ａと、後述する計量容器４０とを収納できる大きさであることが必要である。更に、セメント混合物Ａに水を入れて練り混ぜる際に、それらがこぼれない程度の大きさも必要となる。この大きさは、セメント混合物Ａの量に対応して、適宜設定される。なお、セメント混合物Ａを練り混ぜるための水を計量するための、目盛りが周壁２２の内側に付されていてもよく、この場合、すなわち容器２０が計量容器４０を兼ねていると、計量容器４０は不要となる。
【００３５】
容器２０の材質としては、容器２０に水を入れた際に漏水しない程度の防水性、及び、水圧に対する耐圧強度、かつ、セメント混合物Ａのアルカリ性に対応できる、対アルカリ性が必要とされる。例えば、ポリエチレン、ポリプロピレン、ポリエチレンテレフタレート、発泡ポリスチレン等の合成樹脂や、鉄、アルミニウム等の金属缶、及び、防水紙等が用いられる。それらの中でも防水紙を用いることが、軽量化を図る観点から好ましい。防水紙としては、例えば、ポリエチレンフィルム等の合成樹脂フィルム又はアルミニウム箔等の金属箔と紙とをラミネート加工したもの、金属石鹸、ロジン又はワックスを紙に含浸させるか塗布したもの等を採用することができる。
【００３６】
また、図２に示すように、容器２０の周壁２２の表面には、凹凸加工が施された巻紙２２ａが貼着されていることが好ましい。これによれば、表面の凹凸が滑り止めとなって容器を片手で把持した際の落下を防止できると共に、凹凸の内部に形成される空気層が断熱材として機能するので、セメント混合物Ａと、水とを練り混ぜる際の水和反応による熱が作業者の手に伝わるのを防止できる。この凹凸加工は、図２に示す形態だけでなく、例えば、格子型、ピラミッド型、亀甲型、変形格子型等の凹凸形態又はエンボス加工によって凹凸形態を形成してもよい。なお、この凹凸加工は、容器２０の周壁２２に直接施してもよい。また、巻紙２２ａには、防水性が具備されていてもよい。
【００３７】
上記セメント混合物Ａは、容器２０にそのまま収納されてもよいが、この実施形態の場合、内袋３０に収納される。この内袋３０は、公知の包装用の袋を使用できる。また、内袋３０の上方の開口には、ファスナー３１が設けられており、セメント混合物Ａを密封するようになっている。更に、セメント混合物Ａを練り混ぜるための水を計量するための、目盛りが、内袋３０の内側又は外側に付されていてもよい。この場合、セメント混合物Ａを容器２０に投入後、水を計量することになる。なお、前述の密封の方法としては、ファスナー３１に限るものではなく、例えば、ヒートシール又は接着剤留め等の公知の方法によっても密封してもよい。
【００３８】
内袋３０は、防湿性の材料であることが好ましい。その材質としては、例えば、ポリエチレン、ポリ塩化ビニル、ポリ塩化ビニリデン、ポリアミド、ポリエチレンテレフタレート、ポリカーボネート等の熱可塑性樹脂のフィルム、これらの熱可塑性樹脂のフィルムの複数をラミネート加工したもの、熱可塑性樹脂フィルムにアルミニウム等の金属を蒸着させたもの、熱可塑性樹脂フィルムとアルミニウム箔等の金属箔とラミネート加工したもの、クラフト紙に上記の熱可塑性樹脂フィルムをラミネート加工したもの、クラフト紙にパラフィンワックスを塗布又は含浸させたもの等が好ましく採用される。
【００３９】
上記セメント混合物Ａを練り混ぜる際に使用する水は、計量容器４０によって計量される。この計量容器４０は、カップ形状をなしており、セメント混合物Ａの量に対応した、水の量を計量できるように形成されている。この実施形態においては、計量容器が満杯となったときの容量を、セメント混合物Ａに必要な水の量となるように、計量容器４０の大きさを設定する。この場合、計量容器４０は容器２０よりも小さく、かつ、容器２０に収納できる大きさで形成されることが必要である。また、計量容器の内部に適宜目盛りを付して、これによって水を計量してもよい。なお、計量容器４０の形状はカップ形状に限らず、例えば、使用時に広げられる袋状や、折り畳んだカップ状のものであってもよい。
【００４０】
この計量容器４０の材質としては、例えば、ポリエチレンや、アルミニウム等の金属缶、及び、防水紙等、前述した容器２０に採用される材質のものが用いられる。なお、この計量容器４０は、水を計量後、セメント混合物Ａに注入するまでに漏水しなければよいので、容器２０より防水性は低いものでよい。また、容器２０と、計量容器４０は、同一の材質に統一することは必要なく、例えば、容器２０が防水紙であったときに、計量容器４０が合成樹脂であってもよい。
【００４１】
容器２０の開口部２１の周縁に形成された環状突部２１ａには、蓋５０が嵌合される。この蓋５０は、大略して帽子形状をなしており、開口側には容器２０の環状突部２１ａの外径よりも、やや大きい内径で嵌合部５１が形成されている。そして、蓋５０の嵌合部５１を、容器２０の環状突部２１ａに、整合させて下方に押し込むと、嵌合部５１と環状突部２１ａとが嵌合するようになっている。また、セメント混合物Ａを練り混ぜるための水を計量するための、目盛りが蓋５０の内側に付されていてもよく、この場合、すなわち蓋５０が計量容器４０を兼ねていると、計量容器４０は不要となる。
【００４２】
蓋５０の材質としては、例えば、ポリエチレンや、アルミニウム等の金属缶、及び、防水紙等、前述した容器２０に採用される材質のものが用いられるが、防水性は低いものでよく、容器２０と、同一の材質にする必要はない。
【００４３】
また、図３に示されるように、セメント混合物Ａを練り混ぜるための棒状のヘラ６０を有していてもよい。この実施形態においては、ヘラ６０は、板状の把持部６０ａと、把持部６０ａの途中から、先端にかけて一定の幅で広がって形成された撹拌部６０ｂとでなる。なお、ヘラ６０は上記形状に限定されるものでなく、単純な丸棒の形状や、板状のものであってもよく、セメント混合物Ａを練り混ぜることができればよい。このヘラ６０は、容器２０の内部に収納されてもよく、容器２０の外側に添付されてもよい。
【００４４】
以上説明した部材は、次のように収納されて、本発明の容器入りセメント混合物１０が構成される。この際のセメント混合物Ａの重量を以下のように規定した。すなわち、セメント混合物Ａにおける、セメント、添加剤、或いは砂、砂利等の骨材の、総重量としては、１００〜１０００ｇであることが必要である。１００ｇ未満の場合は、少量すぎて、土木・建築の施工現場、或いは一般家庭においても実用的ではなく好ましくない。一方、１０００ｇを超えると、重くなりすぎ、かつ、重量に応じて容器２０が大きくなるので、片手で把持することが困難となり、持ち運びしにくく、補修等の作業も困難となり好ましくない。なお、セメント混合物Ａの重量は、３００〜７００ｇであることがより好ましく、この範囲であれば、土木・建築工事の施工現場や、一般家庭において補修等の作業をする際に、実用的で適切な必要量であるので、無駄が少なく効率的かつ経済的となる。
【００４５】
このように、セメント混合物Ａの重量を１００〜１０００ｇとしたので軽量で、かつ、容器も小さく形成することができ、容器を片手で把持することが容易で、持ち運びも簡便となる。また、土木・建築の施工現場等にて、コンクリート建造物等の補修等する際には、一方の手で容器を把持して、他方の手で容器の中のセメント混合物と水とを練り混ぜた後、そのまま補修等の作業を行うことができるので、取扱いが極めて簡単で作業性が向上する。特に、マンホールの内部等の狭い場所での、補修等の作業時に効果的となる。
【００４６】
更に、セメント混合物を、１００〜１０００ｇの収納量に小分けしたので、必要な分だけのモルタル又はコンクリートを製造することができ、無駄がなく経済的である。また、必要な分だけの容器入りセメント混合物と、練り混ぜる分の水だけを施工現場等に持ち運べばよく、人手で容易に持ち運ぶことができ、無駄がなく運搬費用を低減できる。
【００４７】
以上のような重量のセメント混合物Ａは、内袋３０に収納されファスナー３１により密封され、容器２０の内部に、内袋３０ごと収納される。そして、内袋３０の上方のスペース、又は、内袋３０収納後の容器２０の空きスペースに計量容器４０が収納される。その後、蓋５０の嵌合部５１を、容器２０の環状突部２１ａに整合させた後、下方に押し込むことにより、嵌合部５１と環状突部２１ａとが嵌合し、容器２０に蓋５０が取り付けられて、容器２０の開口部２１が閉塞される。そして、蓋５０の嵌合部５１と、容器２０の環状突部２１ａとの嵌合箇所の周縁を、図示しないシュリンクフィルムで被覆して、容器２０の収納物が外部に出ないように密閉される。この際、蓋５０と容器２０との全体をシュリンクフィルムで被覆して密閉してもよい。なお、ヘラ６０は、容器２０の内部に収納するか、又は、容器２０の外側に配置して、容器２０とシュリンクフィルムとの間に挟み込んでもよい。
【００４８】
以上のようにパッケージングされた容器入りセメント混合物１０は、図３に示すように使用される。すなわち、シュリンクフィルムを取り除いて、蓋５０を容器２０から取り外す。そして、セメント混合物Ａを密封した内袋３０、及び計量容器４０を、容器２０の内部から取出す。次に、容器２０内に内袋３０からセメント混合物Ａを投入して、計量容器４０によって計量された適量の水を流し込んで、セメント混合物Ａと水とをヘラ６０で練り混ぜることによって、目的とするモルタル又はコンクリートを製造することができるようになる。この後、容器２０を片手で把持して、もう一方の手でヘラ６０又は補修作業用のコテやヘラを用いて、補修等の作業を行うことになる。
【００４９】
図４には、容器入りセメント混合物の他の実施形態が示されている。なお、前述した実施形態と実質的に同一部分には、同符合を付してその説明を省略することにする。
【００５０】
この実施形態１０ａでは、前記実施形態１０に比べ蓋５０の形状が異なっており、容器２０の開口部２１における、端面２１ｂの全周にシール紙からなる蓋５０ａが密着されている。また、蓋５０ａには、タブ５１ａが外径方向に沿って突出して設けられており、使用時にはタブ５１ａを掴んで、蓋５０ａを引き剥がすことになる。この実施形態５０ａによれば、蓋５０ａがシール紙からなるので、容器のコストを低減することができる。
【実施例】
【００５１】
図１に示すような、容器入りセメント混合物１０を作成した。
【００５２】
容器２０は、図１と同じコップ形状で形成し、更に凹凸加工を施した巻紙２２ａを貼着した。この際の容器２０の大きさとしては、開口部２１の外径が約１０ｃｍ、底板２３の外径が約７ｃｍ、高さが約１１ｃｍで形成され、容器の容量は５１０ｃｍ３であった。また、容器２０の材質としては、ポリエチレンコーティング紙を使用した。
【００５３】
セメント混合物Ａは、ポルトランドセメントを主成分とし、更に珪砂、急結剤、減水剤を混合した。このセメント混合物Ａの重量としては、５００ｇであった。
【００５４】
内袋３０は、ポリエチレンで形成し、ファスナー３１を具備したものを使用した。そして、セメント混合物Ａを内袋３０に収納し、ファスナー３１により密封した後、内袋３０を容器２０の内部に収納した。
【００５５】
計量容器４０は、図１で示されるカップ形状で、ポリエチレンコーティング紙を用いて、容量が８０ｃｍ３となるように形成した。この計量容器４０を、容器２０の内部に収納した。
【００５６】
蓋５０は、図１で示される帽子形状で、ポリプロピレンを使用して形成し、容器２０と嵌合する嵌合部５１を併せて形成した。そして、容器２０の環状突部２１ａに、蓋５０の嵌合部５１を整合させた後、下方に押し込んで、容器２０と蓋５０とを嵌合させた。
【００５７】
ヘラ６０は木材で形成され、容器２０の外表面に接着材で固定した。
【００５８】
最後に、上記の構成物品の全体をシュリンクフィルムで覆い、容器入りセメント１０を得た。そして、この際の容器入りセメント混合物の重量、及び、大きさは、片手で無理なく把持することができる範囲内であるので、持ち運びやすさを確認できた。
【００５９】
使用方法は次のようになる。まず、シュリンクフィルムを除去し、蓋５０を取り外し、容器２０の中に収納された計量容器４０と、セメント混合物Ａが収納された内袋３０を取り出した。
【００６０】
次に、内袋３０のファスナー３１を開封し、セメント混合物Ａを容器２０の中に投入した。そして、計量容器４０で８０ｃｍ３の水を計量し、この水を容器２０の中に流し込んで、セメント混合物Ａと水とを、ヘラ６０で練り混ぜることによって、コンクリート建造物やコンクリート製品の補修に好適なモルタルを製造することができた。
【００６１】
そして容器２０は、片手で把持可能なので、もう一方の手で補修作業用のコテやヘラを用いることができ、補修等の作業が容易となった。
【産業上の利用可能性】
【００６２】
本発明の容器入りセメント混合物は、土木・建築の施工現場、特に、マンホールの内部等の狭い場所での補修等の作業時に作業性が良好な、容器を片手で把持することができる、容器入りセメント混合物として、好適に利用できる。
【図面の簡単な説明】
【００６３】
【図１】本発明による容器入りセメント混合物の一実施形態を示す斜視図である。
【図２】同容器入りセメント混合物における容器の構造を示す断面図である。
【図３】同容器入りセメント混合物の使用方法を示す説明図である。
【図４】本発明による容器入りセメント混合物の他の実施形態を示す斜視図である。
【符号の説明】
【００６４】
１０  容器入りセメント混合物
２０  容器
２１  開口部
３０  内袋
４０  計量容器
５０  蓋
６０  ヘラ
Ａ  セメント混合物
【図１】
2005231058.tif 000003
【図２】
2005231058.tif 000004
【図３】
2005231058.tif 000005
【図４】
2005231058.tif 000006